(57)【要約】  本発明は、重なり合った２つの壁紙部分を通ってダブルカットまたはダブルシームカットを生成するための壁紙切断デバイス（１）に関し、壁紙切断デバイス（１）は、ハンド部（２）と、そのハンド部上にバネによって付勢された様式で配置される切断ユニット（３）とを備える。
2021518776.tif 000002
【特許請求の範囲】
【請求項１】
重なり合った２つの壁紙部分を通ってダブルカットを生成するための壁紙切断デバイス（１）であって、ハンド部（２）と、バネによって付勢された様式で前記ハンド部上に配置されている切断ユニット（３）と、を備える、壁紙切断デバイス（１）。
【請求項２】
前記ハンド部（２）が、第１のサイド部分（２１１）および第２のサイド部分（２１２）を有するフレーム（２１）を備え、ハンドル（２２）が、前記第１のサイド部分（２１１）上と前記第２のサイド部分（２１２）上とにそれぞれ配置されている、請求項１に記載の壁紙切断デバイス（１）。
【請求項３】
前記切断ユニット（３）は、その刃（３２）が前記ハンドル（２２）の反対側にある裏側（２１３）で、平面状の前記フレーム（２１）から突き出るように配置されている、請求項１または２に記載の壁紙切断デバイス（１）。
【請求項４】
前記切断ユニット（３）が、前記２つのハンドル（２２）間の中央、かつ前記フレーム（２１）上に配置されている、請求項２または３に記載の壁紙切断デバイス（１）。
【請求項５】
前記フレームが４つのローラ（２３）を備え、前記切断ユニット（３）は、その刃（３２）が全ローラ（２３）によって形成される接触平面を越えて平面状の前記フレーム（２１）から突き出るように配置されている、請求項２〜４のうちの一項に記載の壁紙切断デバイス（１）。
【請求項６】
前記切断ユニット（３）が、事前に規定された角度まで枢動可能であるように、ピボット継手（３４）を用いて前記フレーム（２１）上に配置されている取り付けアーム（３１）を備える、請求項１〜５のうちの一項に記載の壁紙切断デバイス（１）。
【請求項７】
前記切断ユニット（３）が、前記フレーム（２１）と前記取り付けアーム（３１）との間に挟持されている圧力バネ（３３）を備える、請求項６に記載の壁紙切断デバイス（１）。
【請求項８】
前記取り付けアーム（３１）が、前記刃（３２）を収容するための第１の部分（３１１）、および前記圧力バネ（３３）を取り付けるための第２の部分（３１２）を備え、前記ピボット継手（３４）が、前記第１の部分（３１１）と前記第２の部分（３１２）との間で前記取り付けアーム（３１）上に配置されている、請求項３、６、および７のうちの一項に記載の壁紙切断デバイス（１）。
【請求項９】
前記切断ユニット（３）が、前記取り付けアーム（３１）上に前記刃（３２）を固定するための締め付けネジ（３５）を備える、請求項１〜８のうちの一項に記載の壁紙切断デバイス（１）。
【請求項１０】
前記切断ユニット（３）が、前記取り付けアーム（３１）の枢動位置を変更するための調整ネジ（３６）を備える、請求項１〜９のうちの一項に記載の壁紙切断デバイス（１）。
【請求項１１】
前記取り付けアーム（３１）が、事前に規定された角度まで側方に枢動するように、前記フレーム（２１）上に配置されている、請求項６に記載の壁紙切断デバイス（１）。
【発明の詳細な説明】
【技術分野】
【０００１】
本発明は、独立請求項による壁紙切断デバイス、具体的には、互いに重なり合っている２つの壁紙部分を通ってダブルカットまたはダブルシームカットを生成するための壁紙切断デバイスに関する。
【０００２】
本発明は、概して、例えば、紙またはプラスチックの壁装材を適用するためのツールの技術分野に関する。
【背景技術】
【０００３】
壁紙の適用では、壁紙カッターでダブルカットを生成することが知られている。この場合、２つの隣接する壁紙ストリップは、部分的に互いに重なり合うように適用され、重なり合う部分は同時に切断される。このようにして、隣接する壁紙ストリップの縁が互いにしっかりと置かれている２つの隣接する壁紙ストリップ間の結果として生じる移行は、肉眼ではほとんど認識できない。
【発明の概要】
【発明が解決しようとする課題】
【０００４】
主に２つの（長手方向に）隣接する壁紙ストリップ間の音の移行を達成するために、例えば、壁の角の形成において、最後の壁紙ストリップは、壁の角の周りに（これが内側の角に関するものであるか外側の角に関するものであるかにかかわらず）わずかに突き出るような方法で配置される。この突起は、できるだけ平らに押し付けられる。次の壁紙ストリップは、重なるように取り付けられる。次に、互いの上に置かれている２つの壁紙ストリップは、壁紙カッターで両方の壁紙レイヤーを通って垂直線に沿って切断される。この場合、壁紙カッターは、例えば金属レールによって垂直線に沿って誘導されてもよい。（手動で誘導される）カッターは、通常これらの技法で使用される。これは、壁紙カッターが壁紙の後ろに置かれている壁に切り込むため、すぐに鈍くなるという欠点がある。鈍い刃は、ギザギザのある切断縁を生じさせる。
【０００５】
この切断を生成するために、いわゆるダブルカッターやスライダカッターを使用することが知られている。これにより、壁上での刃の鈍化や壁の損傷を防ぐことができる。このカッターはハンドルを有し、刃先が下を向くように刃が固定されている。刃先から離れた位置に接触面が形成され、カッターの使用中に壁上に配置される。接触面は壁に沿って移動する。この場合、１つの欠点は、壁紙が接触面と刃先との間に引っ掛かり、それにより刃先が摩耗すると破れてしまう可能性があることである。また、刃と壁紙との間の角度は固定されていない。
【０００６】
本発明は、先行技術の欠点を解消し、特に、切断される壁紙ストリップの切断縁がギザギザにならないことを確実にする壁紙切断デバイスを利用できるようにする目的に基づいている。
【課題を解決するための手段】
【０００７】
この目的は、独立請求項による壁紙切断デバイスによって達成される。有利な実施形態は、それぞれの従属請求項の目的を形成する。
【０００８】
本発明は、互いに重ねられた２つの壁紙部分を通ってダブルカットを生成するための壁紙切断デバイスを提案し、壁紙切断デバイスは、ハンド部分（デバイスを保持するため）および、バネによって付勢された様式で上記ハンド部分上に配置されている切断ユニット（壁紙を切断するための刃を有する）を備える。バネ式支持のため、切断デバイスまたはその上に固定された刃をそれぞれ保護するために、壁紙切断デバイスを誘導するためにスライダカッター上に設けられたタイプの接触面は必要ない。バネ式支持（定義されたバネ定数を有する）の利点の１つは、切断深さが一定であるという点に見られる。さらに、バネ式支持により、刃先によって加えられる力を調整することができ、これにより、一方の刃は２つの壁紙層を確実に切断し、もう一方の刃は、その下にある壁と接触すると、過度に負担が掛からないようになる。本発明の１つの重要な利点は、刃が壁紙に対して（切断方向およびその横方向に）整列する角度が一定のままであることにある。
【０００９】
ハンド部は、第１のサイド部分と、（第１のサイド部分に直接に接続される）第２のサイド部分とを有するフレームを備えることが好ましい。ハンドルは、第１のサイド部分および第２のサイド部分上にそれぞれ配置される。フレームのそれぞれのサイド部分上に配置されたハンドルにより、カッターを確実に押し下げ、正確に誘導することができる。
【００１０】
切断ユニットは、その刃が、ハンドルの反対側にある裏側で平面フレームから突き出るように配置される。したがって、取り付け状態では、刃は、壁紙切断デバイスの下にある壁紙を通って誘導され得る。
【００１１】
好ましい態様によれば、切断ユニットは、２つのハンドル間のフレーム上の中央に配置されている。このように切断ユニットが中央に配置されているため、肉眼で容易に切り口を追跡することができ、壁紙切断デバイスが誘導される切断方向を正確に修正することができる。
【００１２】
フレームが４つのローラを備えることがさらに好ましい。切断ユニットは、その刃が全てのローラによって形成された接触面を越えて平面フレームから突き出るように配置されている。接触面とは、４本のローラの全てが同時にそれらの外周にある面のことである。切断ユニットは、接触面から突き出るように配置されているので、壁紙切断デバイスが側壁に取り付けられたときに、バネの力で壁紙壁に押し付けることができる。
【００１３】
切断ユニットは、事前既定の角度まで枢動可能であるようにピボット継手を用いてフレーム上に配置されている取り付けアームを備えることが有利である。取り付けアームは、切断ユニットをフレームに接続するために働く。この場合、事前既定の角度は、この切断ユニットが壁に接触している間に、切断ユニットが接触面を通って突き出る位置から離れて枢動することができるように大きく選択される。
【００１４】
切断ユニットが、フレームと取り付けアームとの間に挟持された圧力バネを備えることが特に好ましい。その緩んだ位置では、圧力バネは、取り付けアームを、切断ユニットが可能な限り下方に突き出る位置に保持する。
【００１５】
別の有利な態様によれば、取り付けアームは、刃を収容するための第１の部分、および圧力バネを取り付けるための第２の部分を備える。第１の部分と第２の部分との間で、取り付けアーム上にピボット継手が配置されている。このようにして、枢動可能な取り付けアームは、バネが第１の部分および第２の部分を圧迫し、それにより、刃が切断される壁紙に押し付けられるように、具体化され得る。
【００１６】
別の有利な態様によれば、切断ユニットは、刃を取り付けアームに固定するための締め付けネジを備える。締め付けネジにより、交換する、または裏返す、またはその位置を変えることができるように刃を手で外すことが可能になる。締め付けネジは、その端が鋸歯状の外形になっているものがある。
【００１７】
本発明のまた別の好ましい態様によれば、切断ユニットは、取り付けアームの枢動位置を変更するための調整ネジを備える。調整ネジを、その端部分がフレーム上に当接するように、取り付けアーム内のねじ筋を通って誘導することができ、したがって、調整ネジを回すことによって、取り付けアームを枢動させることができる。
【００１８】
本発明は、添付の図面に示される例示的な実施形態に関して、以下により詳細に説明される。同一の特有の特徴は、全図面で同じ参照記号によって特定される。
【図面の簡単な説明】
【００１９】
【図１】本発明の壁紙切断デバイスの例示的な実施形態の斜視図を示す。
【図２】異なる視野角からの図１による壁紙切断デバイスの第２の斜視図を示す。
【発明を実施するための形態】
【００２０】
図１は、重なり合った壁紙部分を通ってダブルカットを生成するのに使用され得る壁紙切断デバイス１を示す。
【００２１】
壁紙切断デバイス１は、ハンド部２上をつかみ、切断ユニット３が、そのハンド部２上にバネによって付勢された様式で配置されている。切断ユニットのバネ式支持により、刃が配置された切断ユニットが壁に過度に擦れるのを防ぐ。
【００２２】
さらに、切断ユニット３のバネ式支持により、一方では、刃先（刃）が２つの壁紙層を確実に切り開き、他方では、刃先が、下にある壁と接触するとき過度に負担が掛からないように、この切断ユニットが押される、力を調整することが可能になる。
【００２３】
ハンド部２は、直方体基本形を有し、曲がったマルチパート金属板で作られたフレーム２１を備える。フレーム２１は、２つの相互接続型サイド部分２１１、２１２に分けられ、第１のサイド部分２１１は、第１のＵ字形状ハンドル２２を備え、第２のサイド部分２１２は、第２のＵ字形状ハンドル２２を備える。
【００２４】
切断ユニット３は、その刃３２が、ハンドル２２がフレームの上面にある、平面状のフレーム２１から下方に突き出すように、配置されている。４つのローラは、それらの外周面との接触平面を形成する。切断ユニット３は、事前に規定された角度（１５°〜４５°）まで枢動可能であるように、ピボット継手３４を用いて、フレーム２１上に配置されている取り付けアーム３１を備える。このため、取り付けアーム３１の中央に孔が形成され、それを中心に取り付けアームが枢動することができるネジが、取り付けのためにその孔を通って誘導される。
【００２５】
図２は、異なる視野角からの壁紙切断デバイス１の第２の斜視図を示す。
【００２６】
壁紙切断デバイス１は、上記のハンド部２上をつかむ。切断ユニット３は、バネによって付勢された様式でハンド部２上に配置されている。
【００２７】
取り付けアーム３１に刃３２を固定するための締め付けネジ３５は、この図では、その全体が見えている。締め付けネジ３５は、刃３２内の中央開口に通って誘導され、切断ユニット３の取り付けアーム３１の第１の部分３１１に固定される。刃３２内の２つの隣接する開口は、切断ユニット３の誘導突起上に取り付けられる。
【００２８】
切断ユニット３はさらに、フレーム２１と取り付けアーム３１との間に挟持されている圧力バネ３３を備える。取り付アーム３１は、刃３２を収容するための第１の部分３１１、および圧力バネ３３を取り付けるための第２の部分３１２を備える。ビボット継手３４は、第１の部分３１１と第２の部分３１２との間で、取り付けアーム３１上に配置されている。さらに、切断ユニット３は、第２の部分３１２に、フレーム２１に対する取り付けアーム３の枢動位置を変更するための調整ネジ３６を備える。調整ネジ３６は、第２の部分３１２に形成された孔にねじ込まれ、Ｉ字形状で上方に延在する、フレーム２１の部分上に当接する。
【図１】
2021518776.tif 000003
【図２】
2021518776.tif 000004
【国際調査報告】
2021518776.tif 000005
2021518776.tif 000006